(57)【特許請求の範囲】
【請求項１】
筒状のレバーの中空部に回動可能に組み付けられた第１コネクタに対して第２コネクタを挿入し、前記レバーに対して前記第１コネクタおよび前記第２コネクタを回動させることで、前記第１コネクタと前記第２コネクタとを互いの端子金具が電気的に接続されたコネクタ嵌合状態とするコネクタ装置であって、
前記レバーには、中空部に突出したロック用突起が形成されていると共に、
前記第１コネクタには、前記コネクタ嵌合状態において前記レバーの前記ロック用突起を係止して、前記レバーに対する前記第１コネクタおよび前記第２コネクタの回動をロックする被係合片が形成され、
前記コネクタ嵌合状態に至る過程において、前記第１コネクタおよび前記第２コネクタの回動軸方向における、前記レバーの前記ロック用突起と前記第１コネクタとの相対的な移動を規制するガイド手段を具備すると共に、
前記被係合片を移動操作する一対の操作部とを具備し、前記被係合片は、一対の前記操作部間に設けられ、一対の前記操作部の対向するガイド面が前記ガイド手段として機能することを特徴とするコネクタ装置。
【請求項２】
前記被係合片には、前記コネクタ嵌合状態に至る過程において前記レバーの前記ロック用突起に当接して前記被係合片を移動させるテーパ面が形成されており、
前記ガイド手段によって、少なくとも前記レバーの前記ロック用突起と前記被係合片のテーパ面とが当接してから前記コネクタ嵌合状態に至るまでの間、前記レバーの前記ロック用突起と前記第１コネクタとの相対的な移動を規制させることを特徴とする請求項１記載のコネクタ装置。
【請求項３】
一対の前記操作部は、前記第１コネクタから延出して設けられている一対の可撓性アームの開放端側にそれぞれ設けられていることを特徴とする請求項１または２記載のコネク装置。
【発明の詳細な説明】
【技術分野】
【０００１】
本発明は、多数の端子金具を有するオスメスの多極コネクタを嵌合させるコネクタ装置に関し、特にレバーに組み付けられた第１コネクタに第２コネクタを挿入し、レバーに対して第１コネクタおよび第２コネクタを回動させることで、第１コネクタと第２コネクタとを互いの端子金具が電気的に接続されたコネクタ嵌合状態とするコネクタ装置に関するものである。
【背景技術】
【０００２】
図９は、従来のコネクタ装置の構成を示す斜視図であり、図１０は、図９に示すレバーおよびロック部の構成を示す斜視図である。
従来の、レバーを使用した一般的なコネクタ装置は、図９を参照すると、複数のオス型端子が収容された第１コネクタ１０１と複数のメス型端子が収容された第２コネクタ１０２とを備えている。第１コネクタ１０１には、第２コネクタ１０２が挿入され嵌合されるコネクタ被嵌合部が形成されていると共に、カム溝１０３が形成されたレバー１０４が組み付けられている。第２コネクタ１０２には、レバー１０４のカム溝によって案内される作用点ボス１０５が形成されている（例えば、特許文献１参照）。
【０００３】
このようなコネクタ装置では、第２コネクタ１０２を第１コネクタ１０１のコネクタ被嵌合部に挿入すると、第２コネクタ１０２の作用点ボス１０５がレバー１０４のカム溝１０３に導入され、レバー１０４を回動させることで、第２コネクタ１０２の作用点ボス１０５とレバー１０４のカム溝１０３とがカム機構として機能して、第２コネクタ１０２が第１コネクタ１０１側に引き寄せられ、第１コネクタ１０１のメス型端子と、第２コネクタ１０２のメス型端子とが電気的に接続されたコネクタ嵌合状態が形成される。
【０００４】
また、コネクタ嵌合状態では、レバー１０４に形成されたロック係合部１０６が第２コネクタ１０２に形成された被係合部１０７によって係止されて、レバー１０４の回動がロックされ、コネクタ嵌合状態が意図せずに解除されることを防止している。図１０を参照すると、ロック係合部１０６には、テーパ面を有するロック用突起１０６ａが形成されていると共に、被係合部１０７は、一対の可撓性アーム１０７ａと、一対の可撓性アーム１０７ａの開放端側に架け渡された被係合片１０７ｂとで構成されている。レバー１０４を回動させ、コネクタ嵌合状態に近くなると、ロック用突起１０６ａのテーパ面が被係合部１０７の被係合片１０７ｂに当接することで、一対の可撓性アーム１０７ａが曲げられて、ロック用突起１０６ａが一対の可撓性アーム１０７ａの間に進入する。ロック用突起１０６ａが一対の可撓性アーム１０７ａの間に進入すると、一対の可撓性アーム１０７ａが復元し、ロック係合部１０６のロック用突起１０６ａが被係合部１０７の被係合片１０７ｂによって係止され、レバー１０４の回動がロックされる。
【先行技術文献】
【特許文献】
【０００５】
【特許文献１】特開平６−１１９５１号公報
【発明の概要】
【発明が解決しようとする課題】
【０００６】
しかしながら、従来のコネクタ装置では、レバー１０４のがたつき等に起因して、ロック係合部１０６のロック用突起１０６ａと、被係合部１０７の被係合片１０７ｂとの位置がずれた場合には、コネクタ嵌合状態においてロック係合部１０６のロック用突起１０６ａが可撓性アーム１０７ａに当接して、ロック係合部１０６のロック用突起１０６ａが被係合部１０７の被係合片１０７ｂに係止されず、コネクタ嵌合状態にも拘わらずレバー１０４の回動をロックできなくなってしまうという問題点があった。
【０００７】
本発明は斯かる問題点を鑑みてなされたものであり、その目的とするところは、レバーに組み付けられた第１コネクタに第２コネクタを挿入し、レバーに対して第１コネクタおよび第２コネクタを回動させることで、第１コネクタと第２コネクタとをコネクタ嵌合状態とするコネクタ装置において、レバーに設けられたロック用突起を第１コネクタに設けられた被係合片によって係止させ、レバーに対する第１コネクタおよび第２コネクタの回動をロックさせる際に、レバーのロック用突起を被係合部の被係合片によって係止される位置に確実に導くことができ、コネクタ嵌合状態でレバーに対する第１コネクタおよび第２コネクタの回動を確実にロックすることができるコネクタ装置を提供する点にある。
【課題を解決するための手段】
【０００８】
本発明に係るコネクタ装置は、上記の目的を達成するため、次のように構成される。
請求項１記載のコネクタ装置は、筒状のレバーの中空部に回動可能に組み付けられた第１コネクタに対して第２コネクタを挿入し、前記レバーに対して前記第１コネクタおよび前記第２コネクタを回動させることで、前記第１コネクタと前記第２コネクタとを互いの端子金具が電気的に接続されたコネクタ嵌合状態とするコネクタ装置であって、前記レバーには、中空部に突出したロック用突起が形成されていると共に、前記第１コネクタには、前記コネクタ嵌合状態において前記レバーの前記ロック用突起を係止して、前記レバーに対する前記第１コネクタおよび前記第２コネクタの回動をロックする被係合片が形成され、前記コネクタ嵌合状態に至る過程において、前記第１コネクタおよび前記第２コネクタの回動軸方向における、前記レバーの前記ロック用突起と前記第１コネクタとの相対的な移動を規制するガイド手段を具備すると共に、前記被係合片を移動操作する一対の操作部とを具備し、前記被係合片は、一対の前記操作部間に設けられ、一対の前記操作部の対向するガイド面が前記ガイド手段として機能することを特徴とする。
さらに、請求項２記載のコネクタ装置は、前記被係合片には、前記コネクタ嵌合状態に至る過程において前記レバーの前記ロック用突起に当接して前記被係合片を移動させるテーパ面が形成されており、前記ガイド手段によって、少なくとも前記レバーの前記ロック用突起と前記被係合片のテーパ面とが当接してから前記コネクタ嵌合状態に至るまでの間、前記レバーの前記ロック用突起と前記第１コネクタとの相対的な移動を規制させることを特徴とする。
さらに、請求項３記載のコネクタ装置は、一対の前記操作部は、前記第１コネクタから延出して設けられている一対の可撓性アームの開放端側にそれぞれ設けられていることを特徴とする。
【発明の効果】
【０００９】
本発明のコネクタ装置は、レバーに、中空部に突出したロック用突起を形成すると共に、第１コネクタに、コネクタ嵌合状態においてレバーのロック用突起を係止して、レバーに対する第１コネクタおよび第２コネクタの回動をロックする被係合片を形成し、コネクタ嵌合状態に至る過程において、第１コネクタおよび第２コネクタの回動軸方向における、レバーの前記ロック用突起と前記第１コネクタとの相対的な移動を規制するガイド手段を設けることにより、レバーのロック用突起を被係合部の被係合片によって係止される位置に確実に導くことができ、コネクタ嵌合状態でレバーに対する第１コネクタおよび第２コネクタの回動を確実にロックすることができるという効果を奏する。
【図面の簡単な説明】
【００１０】
【図１】本発明に係るコネクタ装置の構成を示す斜視図である。
【図２】図１に示すコネクタ装置のコネクタ嵌合状態を示す斜視図である。
【図３】図１に示す第１コネクタをコネクタ被嵌合部側から見た斜視図である。
【図４】図１に示す第１コネクタを後部側から見た斜視図である。
【図５】図３および図４に示す被係合部の構成を示す図であり、（ａ）は、斜視図であり、（ｂ）は、側面図である。
【図６】本発明に係るコネクタ装置の嵌合動作を説明するための断面図である。
【図７】本発明に係るコネクタ装置の嵌合動作を説明するための断面図である。
【図８】本発明に係るコネクタ装置の嵌合動作を説明するための断面図である。
【図９】従来のコネクタ装置の構成を示す斜視図である。
【図１０】図９に示すレバーおよびロック部の構成を示す斜視図である。
【発明を実施するための形態】
【００１１】
以下に、本発明の好適な実施形態（実施例）を添付図面に基づいて説明する。
【００１２】
本実施の形態のコネクタ装置は、図１および図２を参照すると、第１コネクタ２０と第２コネクタ３０とレバー４０とからなる３つの部品によって構成され、低挿入力で第１コネクタ２０と第２コネクタ３０とを、互いの端子金具が電気的に接続されたコネクタ嵌合状態とする構成が採用されている。コネクタ装置１０は、自動車の車体パネル、リレーブロック、コネクタブロック等の被係止部材（図示せず）に係止されて固定されるようになっており、レバー４０が被係止部材（図示せず）への係止手段として機能する。
【００１３】
第１コネクタ２０は、図３および図４を参照すると、絶縁性を有する合成樹脂製の第１コネクタハウジング２１を備え、第１コネクタハウジング２１には、複数のオス型端子２２が収容されている。複数のオス型端子２２のそれぞれには、電線（図示せず）が接続され、第１コネクタハウジング２１の後部２１ａから複数の電線（図示せず）が引き出されている。
【００１４】
第１コネクタハウジング２１の前部２１ｂには、第２コネクタ３０が挿入され嵌合されるコネクタ被嵌合部２３が形成され、コネクタ被嵌合部２３には、複数のオス型端子２２が突出して設けられている。
【００１５】
また、第１コネクタハウジング２１には、支点ボス２４と、作用点ボス逃がし溝２５と、解除リブ逃がし溝２６とが形成されている。支点ボス２４は、断面形状が円形の突起であり、第１コネクタ２０をレバー４０に組み付けた際に、回動軸として機能する部材である。一対の支点ボス２４が第１コネクタハウジング２１の対向する側板２３ａ、２３ａのそれぞれから両サイドに突出して形成されている。作用点ボス逃がし溝２５は、第１コネクタ２０に第２コネクタ３０を挿入する際に、後述する第２コネクタ３０の作用点ボス３１を案内する、第２コネクタ３０を挿入方向と同一方向に切り欠かれた溝部である。一対の作用点ボス逃がし溝２５が第１コネクタハウジング２１の側板２３ａ、２３ａのそれぞれに形成されている。解除リブ逃がし溝２６は、第１コネクタ２０に第２コネクタ３０を挿入する際に、後述する第２コネクタ３０の解除リブ３２を案内する、第２コネクタ３０を挿入方向と同一方向に切り欠かれた溝部である。一対の解除リブ逃がし溝２６が第１コネクタハウジング２１の側板２３ａ、２３ａのそれぞれに形成されている。
【００１６】
さらに、第１コネクタハウジング２１には、コネクタ嵌合状態において、レバー４０に対する第１コネクタハウジング２１の回動をロックするための被係合部５０が形成されている。被係合部５０は、レバー４０に対する第１コネクタ２０の回動軸と平行な第１コネクタハウジング２１の面に形成されている。
【００１７】
被係合部５０は、図３乃至図５を参照すると、一対の可撓性アーム５１と、一対の可撓性アーム５１の開放端側にそれぞれ設けられた一対の操作部５２と、一対の操作部５２間に架け渡された被係合片５３とで構成されている。一対の可撓性アーム５１は、第１コネクタハウジング２１において後部２１ａからコネクタ被嵌合部２３が形成されている前部２１ｂに向かう、図５に矢印Ａで示す方向に延出して形成され、一対の可撓性アーム５１が曲がることで、図５に矢印Ｂで示す方向、すなわち被係合片５３が第１コネクタハウジング２１に近付く方向に移動可能になっている。
【００１８】
一対の操作部５２は、コネクタ被嵌合部２３が形成されている前部２１ｂ側から操作することで、被係合片５３を第１コネクタハウジング２１に近付く方向に移動させることができるようになっている。また、一対の操作部５２の対向する側面は、後述するレバー４０のロック用突起４４をロック位置まで案内するガイド面５２ａとなっている。
【００１９】
被係合片５３には、レバー４０に対する第１コネクタハウジング２１の回動に伴い、後述するレバー４０のロック用突起４４に当接することで、図５に矢印Ｂで示す方向、すなわち第１コネクタハウジング２１に近付く方向に被係合片５３を移動させるテーパ面５３ａと、後述するレバー４０のロック用突起４４と係止する係合面５３ｂとが形成されている。
【００２０】
第２コネクタ３０は、図１を参照すると、絶縁性を有する合成樹脂製の第２コネクタハウジング３３を備え、第２コネクタハウジング３３には、複数のメス型端子３４が収容されている。複数のメス型端子３４のそれぞれには、電線（図示せず）が接続され、第２コネクタハウジング３３の後部３３ａから複数の電線（図示せず）が引き出されている。
【００２１】
第２コネクタハウジング３３は、第１コネクタハウジング２１のコネクタ被嵌合部２３に嵌合される形状を有し、第１コネクタハウジング２１のコネクタ被嵌合部２３に第２コネクタハウジング３３が挿入されて嵌合されると、第１コネクタ２０のオス型端子２２と第２コネクタ３０のメス型端子３４とが接触し合って、これらが電気的に接続される。
【００２２】
第２コネクタハウジング３３には、作用点ボス３１と、解除リブ３２とが形成されている。作用点ボス３１は、第２コネクタ３０を第１コネクタ２０に挿入する際に、第１コネクタ２０の作用点ボス逃がし溝２５によって案内される、断面形状が円形の突起である。一対の作用点ボス３１が第２コネクタハウジング３３から両サイドに突出して形成されている。解除リブ３２は、第２コネクタ３０を第１コネクタ２０に挿入する際に、第１コネクタ２０の解除リブ逃がし溝２６によって案内される突起である。一対の解除リブ３２が第２コネクタハウジング３３から両サイドに突出して形成されている。
【００２３】
レバー４０は、図１および図２を参照すると、第２コネクタ３０と第１コネクタ２０とを嵌合させるためのレバーであり、嵌合状態にある第２コネクタ３０と第１コネクタ２０とを被係止部材（図示せず）に対して係止するコネクタホルダとしても機能する。
【００２４】
レバー４０は、断面が略楕円の筒状体であり、一対の支点ボスガイド穴４１と、一対の仮係止アーム４２と、一対の作用点ボスガイド溝４３とが形成されている。支点ボスガイド穴４１は、第１コネクタ２０に形成されている一対の支点ボス２４を軸支する一対の支持穴であり、図１に示すように、レバー４０の中空部に組み込まれた第１コネクタ２０を回動可能に支持する。
【００２５】
仮係止アーム４２は、図１および図２を参照すると、可撓性を有する板状のアーム部を有し、外力が作用しない状態では、レバー４０の中空部に突出する仮係止片が形成されている。仮係止片は、レバー４０の中空部に組み込まれた第１コネクタ２０の解除リブ逃がし溝２６近傍の側板２３ａを仮係止し、図１に矢印ａで示す方向への第１コネクタ２０の回動を規制する回動規制部材として機能する。
【００２６】
作用点ボスガイド溝４３は、第２コネクタ３０の作用点ボス３１を支点ボスガイド穴４１の近傍まで案内する、第２コネクタ３０の挿入方向に対して斜めに形成されたカム溝であり、第２コネクタ３０の作用点ボス３１とレバー４０の作用点ボスガイド溝４３とが、第１コネクタ２０および第２コネクタ３０の回動を、第２コネクタ３０が第１コネクタ２０に対して挿抜される方向の移動に変換するカム機構として機能する。
【００２７】
また、レバー４０には、レバー４０に対する第１コネクタハウジング２１の回動に伴い、第１コネクタハウジング２１に形成された被係合片５３のテーパ面５３ａに当接すると共に、コネクタ嵌合状態で第１コネクタハウジング２１に形成された被係合片５３の係合面５３ｂに係止される、中空部に向けて突出したロック用突起４４が形成されている。
【００２８】
次に、第１の実施の形態のコネクタ装置１０における第１コネクタ２０と第２コネクタ３０との嵌合動作について説明する。
【００２９】
仮係止アーム４２によって第１コネクタ２０の側板２３ａが仮係止され、図１に矢印ａで示す方向への第１コネクタ２０の回動が規制された状態（以下、仮係止状態と称す）が、第１コネクタ２０と第２コネクタ３０との嵌合を開始させるホームポジションである。仮係止状態では、第１コネクタ２０の作用点ボス逃がし溝２５の開口と、レバー４０の作用点ボスガイド溝４３の開口とが重なるように配置され、第２コネクタ３０の第１コネクタ２０への挿入を開始すると、第２コネクタ３０の作用点ボス３１が作用点ボス逃がし溝２５および作用点ボスガイド溝４３に導入される。なお、仮係止状態において、第１コネクタ２０の図１に示す矢印ｂの方向への回動を規制する構成を採用しても良く、この場合には、仮係止状態で第１コネクタ２０の図１に示す矢印ａおよびｂの両方向への回動が規制されるため、第１コネクタ２０に対する第２コネクタ３０の挿入を容易に行うことができる。
【００３０】
第２コネクタ３０の第１コネクタ２０への挿入を開始すると、第２コネクタ３０の解除リブ３２が第１コネクタ２０の解除リブ逃がし溝２６に導入されると共に、第２コネクタ３０の解除リブ３２と、レバー４０の仮係止アーム４２とが当接する。仮係止アーム４２には、第２コネクタ３０（解除リブ３２）の挿入方向において、レバー４０の中空部への突出量が徐々に大きくなるテーパ面が形成されているため、第２コネクタ３０が第１コネクタ２０に挿入されると、仮係止アーム４２が第２コネクタ３０の解除リブ３２によって外側に押されていき、仮係止アーム４２がレバー４０の中空部から退出する方向に移動される。これにより、仮係止アーム４２と、第１コネクタ２０の側板２３ａとの仮係止が解除され、第１コネクタ２０および第２コネクタ３０の図１および図６に示す矢印ａの方向への回動が可能になる。
【００３１】
レバー４０に対して第１コネクタ２０および第２コネクタ３０を図１および図６に矢印ａで示す方向に回動させると、第２コネクタ３０の作用点ボス３１が作用点ボスガイド溝４３に案内されて、第２コネクタ３０が挿入方向に移動、すなわち、第２コネクタ３０が第１コネクタ２０側に引き寄せられていくと共に、レバー４０のロック用突起４４が、第１コネクタ２０に形成された被係合部５０の一対の操作部５２の間に進入する。一対の操作部５２の間にレバー４０のロック用突起４４が進入することで、一対の操作部５２の対向するガイド面５２ａによるガイドによって、第１コネクタ２０および第２コネクタ３０の回動軸方向における、レバー４０のロック用突起４４と第１コネクタ２０との相対的な移動が規制されることになる。レバー４０のロック用突起４４は、一対の操作部５２の対向するガイド面５２ａにガイドされながら、図７に示すように、一対の操作部５２に架け渡されて形成されている被係合片５３のテーパ面５３ａに当接する。
【００３２】
図７に示す状態から、レバー４０に対して第１コネクタ２０および第２コネクタ３０を矢印ａで示す方向に回動させると、第２コネクタ３０の作用点ボス３１が作用点ボスガイド溝４３に案内されて、さらに第２コネクタ３０が挿入方向に移動、すなわち、第２コネクタ３０が第１コネクタ２０側に引き寄せられていくと共に、レバー４０のロック用突起４４は、一対の操作部５２の対向するガイド面５２ａにガイドされながら、被係合片５３のテーパ面５３ａ上を摺接される。これにより、レバー４０のロック用突起４４によって第１コネクタ２０に形成された被係合部５０の被係合片５３におけるテーパ面５３ａが押されて、一対の可撓性アーム５１が第１コネクタハウジング２１に近付く方向に曲げられ、第１コネクタハウジング２１に近付く方向に被係合片５３が移動される。
【００３３】
第２コネクタ３０が挿入方向に移動、すなわち、第２コネクタ３０が第１コネクタ２０側に引き寄せられて、第１コネクタ２０のオス型端子２２と、第２コネクタ３０のメス型端子３４とが電気的に接続されたコネクタ嵌合状態が形成されると、図８に示すように、レバー４０のロック用突起４４が第１コネクタ２０に形成された被係合部５０の被係合片５３におけるテーパ面５３ａとの当接が解除されるロック位置に到達し、一対の可撓性アーム５１が復元され、レバー４０のロック用突起４４が、第１コネクタ２０に形成された被係合部５０の被係合片５３における係合面５３ｂに係止されて、レバー４０に対する第１コネクタ２０および第２コネクタ３０の回動がロックされる。なお、ロックの解除は、第１コネクタ２０のコネクタ被嵌合部２３が形成されている前部２１ｂ側から被係合部５０の一対の操作部５２を操作して、被係合片５３を第１コネクタハウジング２１に近付く方向に移動させることで簡単に行うことができる。
【００３４】
このように、レバー４０に対して第１コネクタ２０および第２コネクタ３０を矢印ａで示す方向に回動させ、レバー４０のロック用突起４４をロック位置に到達させる過程において、レバー４０のロック用突起４４は、第１コネクタ２０に形成された被係合部５０の一対の操作部５２の対向するガイド面５２ａによってガイドされている。従って、コネクタ嵌合状態において、レバー４０のロック用突起４４を確実にロック位置に到達させることができ、レバー４０のロック用突起４４を、第１コネクタ２０に形成された被係合部５０の被係合片５３における係合面５３ｂによって係止させ、レバー４０に対する第１コネクタ２０および第２コネクタ３０の回動をロックすることができる。
【００３５】
特に、一対の操作部５２の対向するガイド面５２ａによるガイドによって、レバー４０のロック用突起４４によって一対の可撓性アーム５１が曲げられている間、第１コネクタ２０および第２コネクタ３０の回動軸方向における、レバー４０のロック用突起４４と第１コネクタ２０との相対的な移動が規制させることで、レバー４０のロック用突起４４と被係合部５０の被係合片５３との位置ずれを有効に防止することができる。
【００３６】
また、一対の操作部５２の対向するガイド面５２ａによるガイドによって、第１コネクタ２０および第２コネクタ３０の回動軸方向における、レバー４０のロック用突起４４と第１コネクタ２０との相対的な移動が規制させることで、特別なガイド手段を設ける必要がなく、コストを削減することができる。
【００３７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００３８】
１０  コネクタ装置
２０  第１コネクタ
２１  第１コネクタハウジング
２３ａ  側板
２１ａ  後部
２１ｂ  前部
２２  オス型端子
２３  コネクタ被嵌合部
２４  支点ボス
２５  作用点ボス逃がし溝
２６  解除リブ逃がし溝
３０  第２コネクタ
３１  作用点ボス
３２  解除リブ
３３  第２コネクタハウジング
３３ａ  後部
３４  メス型端子
４０  レバー
４１  支点ボスガイド穴
４２  仮係止アーム
４３  作用点ボスガイド溝
４４  ロック用突起
５０  被係合部
５１  可撓性アーム
５２  操作部
５２ａ  ガイド面
５３  被係合片
５３ａ  テーパ面
５３ｂ  係合面
【図１】
0005622495.tif 000002
【図２】
0005622495.tif 000003
【図３】
0005622495.tif 000004
【図４】
0005622495.tif 000005
【図５】
0005622495.tif 000006
【図６】
0005622495.tif 000007
【図７】
0005622495.tif 000008
【図８】
0005622495.tif 000009
【図９】
0005622495.tif 000010
【図１０】
0005622495.tif 000011